(57)【特許請求の範囲】
【請求項１】
水路の底面に固定される下側固定部と、前記水路の淵に固定される上側固定部と、前記下側固定部と上側固定部との間に設けられる本体部と、を有し、
前記本体部は、前記水路の幅方向の壁面に当接して設けられた一対の枠体と、前記水路が所定の水位に達したときに水路内の水を下流側に排水する扉とを有し、
前記下側固定部は、前記本体部の一対の枠体に固定される枠体固定部と、前記枠体固定部に続いて形成され前記水路の底面に固定される底固定部とを有し、
前記枠体固定部は、前記水路の上流側と下流側において小動物の侵入を阻止可能に網目状に形成され、
前記枠体固定部の網目は、前記水路の上流側の水が下流側に流れることが可能に形成され、
ていることを特徴とする水路ゲート。
【請求項２】
前記本体部の枠体は、前記下側固定部の底固定部の固定位置が前記上側固定部の前記水路の淵に固定される位置よりも下流側に位置することにより、傾斜して設けられていることを特徴とする請求項１に記載の水路ゲート。
【請求項３】
前記下側固定部の底固定部は、前記水路の底面形状に沿って形成されることを特徴とする請求項１又は２に記載の水路ゲート。
【請求項４】
請求項１乃至３のいずれかに記載の水路ゲートに取り付けられる装着具であって、
前記水路ゲートの上側固定部に形成された係止孔に係止可能にフック状に形成された取付部と、
前記水路の底面に当接可能に形成された下端部と、
前記取付部と下端部の中間に形成された捕捉部と、を有し、
前記捕捉部は、網目状に形成され、
前記捕捉部の網目は前記水路ゲートの下側固定部の網目よりも広く形成され、
前記下端部は、前記水路の上流側に向かって延設されていることを特徴とする装着具。
【発明の詳細な説明】
【技術分野】
【０００１】
本発明は、水路に設けられる水路ゲート及びこれに取り付けられる装着具に関する。
【背景技術】
【０００２】
ヘビやネズミなどの小動物は、ケーブル等の配線をかじったり、電柱等の充電部に接触して事故を起こしたりする可能性があるため、施設への侵入を防止する対策が行われている。このような対策としては、例えば、変電所の排水用水路には、小動物の侵入を防止するために金網を設けている。
【０００３】
しかし、単に水路に金網を設けただけでは、落葉などのゴミが金網に付着すると目詰まりを起こして十分な排水が行えないため、水路内の水位が上昇して水が水路からあふれ出して施設内が浸水しケーブル類、建物内機器を水没させる恐れがある。
【０００４】
そこで、水路にフラップゲートを設け水路内の水位が所定位置に達することでゲートが開いて排水するようにすることで、水路の水位上昇を防止しつつ小動物の浸入を防止することが考えられており、その一例としては、水路側の水位が下流側の水位よりも高くなると、水路側の水圧でゲート本体が開方向に揺動変位して水路を流下する水が下流側に流される構成が開示されている（特許文献１参照）。
【先行技術文献】
【特許文献】
【０００５】
【特許文献１】特開２００１−３４８８４７号公報
【発明の概要】
【発明が解決しようとする課題】
【０００６】
しかしながら、特許文献１に記載のフラップゲートは、ゲート本体と水路の底面との間に土砂が堆積し、堆積した土砂がゲート本体と水路の間に挟まってゲートが開いた状態のままになることがあり、小動物がゲート本体の上流側に侵入するおそれがある。
【０００７】
また、水路内の水が少量で水圧が低い場合や、ゲート本体が重い場合には、ゲート本体を下流側に押し出す十分な力を得られないため排水できない問題がある。特に、ゲート本体よりも下流側の水位が上流側よりも高い場合は、下流側に排水することができないため、上述のように水路内の水位が上昇して施設内の機器等が水没する問題がある。
【０００８】
本発明は、かかる事情に鑑みてなされたものであり、水路の上流側への小動物の侵入を防止し、水路内の水位の上昇を抑えることができる水路ゲート及びこれに取り付けられる装着具を提供することを主たる課題としている。
【課題を解決するための手段】
【０００９】
上記課題を達成するために、本発明に係る水路ゲートは、水路の底面に固定される下側固定部と、前記水路の淵に固定される上側固定部と、前記下側固定部と上側固定部との間に設けられる本体部と、を有し、前記本体部は、前記水路の幅方向の壁面に当接して設けられた一対の枠体と、前記水路が所定の水位に達したときに水路内の水を下流側に排水する扉とを有し、前記下側固定部は、前記本体部の一対の枠体に固定される枠体固定部と、前記枠体固定部に続いて形成され前記水路の底面に固定される底固定部とを有し、前記枠体固定部は、前記水路の上流側と下流側において小動物の侵入を阻止可能に網目状に形成され、前記枠体固定部の網目は、前記水路の上流側の水が下流側に流れることが可能に形成され、ていることを特徴としている。
【００１０】
下側固定部の枠体固定部が、水路の上流側と下流側において小動物の侵入を阻止可能に網目状に形成され、この網目は、水路の上流側の水が下流側に流れることが可能に形成されることで、水路の下流側から上流側に向かう小動物は下側固定部によって行く手を阻まれることになり、小動物の上流側への侵入を防ぐことができ、また、上流側から下流側に流れる排水を確実に行うことにより、水路内の水位の上昇を抑えることができる。
ここで、小動物は、例えば、ヘビやネズミなどであって、電気機器や電気配線等をかじったり、電柱等の充電部に接触して事故を起こしたりする可能性がある動物をいう。
【００１１】
また、本体部の枠体は、下側固定部の底固定部の固定位置が上側固定部の水路の淵に固定される位置よりも下流側に位置することにより、傾斜して設けられているようにしてもよい。
本体部の枠体が傾斜して設けられていることにより、扉の自重により閉まる方向に力が働くようにすることができ、上流側から所定以上の力が働かない限り扉が開かないようにすることができる。
【００１２】
下側固定部の底固定部は、水路の底面形状に沿って形成されるようにしてもよい。
下側固定部が、水路の底面形状に沿って形成されることで、底面との固定がしやすくなり、水路の底面との隙間をなくし、隙間に土砂等の付着物が堆積して水の流れがせき止められるのを防止することができる。また、土砂の等の堆積を防止することで、網目に過度な水の抵抗が掛かることを防止でき、下側固定部の網目がほつれることを防止することができる。
【００１３】
上述の水路ゲートに取り付けられる装着具であって、水路ゲートの上側固定部に形成された係止孔に係止可能にフック状に形成された取付部と、水路の底面に当接可能に形成された下端部と、取付部と下端部の中間に形成された捕捉部と、を有し、前記捕捉部は、網目状に形成され、前記捕捉部の網目は前記水路ゲートの下側固定部の網目よりも広く形成され、前記下端部は、前記水路の上流側に向かって延設されていることを特徴としている。
【００１４】
捕捉部が、網目状に形成され、この本体部の網目が水路ゲートの下側固定部の網目よりも広く形成されることにより、落ち葉などの付着物が水路ゲートに付着することよる目詰まりを防止することができる。
また、下端部が水路の上流側に向かって延設されていることで、装着具を持ち上げるだけで、下端部に付着物を載せて回収することが可能となる。
【発明の効果】
【００１５】
以上述べたように、本発明の水路ゲート及びこれに取り付けられる装着具によれば、小動物の水路の上流側への侵入を防ぎ、水路内の水位の上昇を抑えることで、水路の周辺に設けられた施設を保護することができる。
また、所定の水位に達したときは、落ち葉等の付着物が水によって押し流されて水路ゲートの下流側に排出されるので、付着物を取り除く作業者の労力を軽減することが可能となる。
さらに、装着具を水路ゲートに取り付けることで、装着具を持ち上げるだけで、装着具の下端部に付着物を載せて回収することが可能となるため、作業者の清掃負担を減らすことが可能となる。
【図面の簡単な説明】
【００１６】
【図１】図１は、実施例１に係る水路ゲートの全体構成を示した図であり、（ａ）は、水路ゲートの正面図である。（ｂ）は、（ａ）のＡ−Ａ線断面図である。
【図２】図２は、実施例１に係る水路ゲートに装着具を取り付けた状態を示した図であり、（ａ）は、水路ゲートの正面図である。（ｂ）は、（ａ）のＡ−Ａ線断面図である。
【図３】図３は、実施例２に係る水路ゲートの全体構成を示した図であり、（ａ）は、水路ゲートの正面図である。（ｂ）は、（ａ）のＡ−Ａ線断面図である。
【図４】図４は、扉を開くために必要な水圧と、枠体の傾斜角度との関係を示した概念図である。
【発明を実施するための形態】
【００１７】
以下、本発明の水路ゲート及びこれに取り付けられる装着具について、添付図面を参照して説明する。
【実施例１】
【００１８】
図１に示すように、水路ゲート１は、水路３の底面３０に固定される下側固定部２と、水路３の淵３１に固定される上側固定部４と、下側固定部２と上側固定部４との間に設けられる本体部５と、を有して構成されている。それぞれの部材２，４，５は、錆止め加工がなされた金属により形成されている。
【００１９】
本体部５は、水路３の幅方向の対峙する壁面３２に当接して設けられた一対の枠体５０ａ，５０ｂと、上側固定部４に設けられた蝶番４５に接続される扉５１と、扉５１と枠体５０ａ，５０ｂとの間及び扉５１と下側固定部２との間に付着物が挟まるのを防止する返し部５２と、により構成されている。
【００２０】
一対の枠体５０ａ，５０ｂは、水路３の底面３０から淵３１側に向かって水路３の壁面３２に当接するように形成された当接部５３ａ，５３ｂと、この当接部５３ａ，５３ｂに続いて形成され他方の枠体が取り付けられる位置に向かって突出して形成された突出部５４ａ，５４ｂと、により構成されている。なお、本実施例においては当接部５３ａ，５３ｂと突出部５４ａ，５４ｂとはＬ字状の略直角に形成されている。
【００２１】
扉５１は、下流側３５方向に搖動可能に上側固定部４に設けられた蝶番４５に接続され、閉じているときは両側面が枠体５０ａ，５０ｂの突出部５４ａ，５４ｂと当接し、開閉方向の先端面が返し部５２と当接する。したがって、水路３の水位が所定の水位に達したとき、すなわち、水路３の底面３０側に位置する扉５１の一端よりも高い水位に達したときに、水路３内の水圧が扉５１を下流側３５方向に押し出す力が働き、水路３内の水が排水されるように扉５１が設けられている。
【００２２】
返し部５２は、一対の枠体５０ａ，５０ｂに取り付けられる枠体取付部５６と、この一対の枠体５０ａ，５０ｂの間から水路３の上流側３６に延びて形成された延設部５７とから構成され、扉５１と下側固定部２との間に位置するように設けられている。
【００２３】
下側固定部２は、本体部５の一対の枠体５０ａ，５０ｂに固定される枠体固定部２１と、枠体固定部２１に続いて形成され水路３の底面３０に固定される底固定部２２とを有して構成されている。
【００２４】
枠体固定部２１は、水路３の上流側３６と下流側３５においてヘビやネズミなどの小動物の侵入を阻止可能に水路３の幅方向に亘って網目状に形成され、本体部５の枠体５０ａ，５０ｂに溶接により固定されている。また、この網目は、水路３の上流側３６の水が下流側３５に流れることが可能に、例えば、５ｍｍ程度の大きさに形成されている。
【００２５】
、
底固定部２２は、水路３の底面形状に沿って、枠体固定部２１の底面方向に位置する基端部から水路３の上流側３６に向かって板状に形成され、水路３の幅方向の２か所にアンカーボルト１０で底面３０に固定されている。
【００２６】
上側固定部４は、水路３の幅方向に亘って形成されるもので、水路３の淵３１に固定される淵固定部４１と、この淵固定部４１から水路３の壁面３２に沿って底面方向に垂下するように延設された接続部４２と、を有して構成されている。
【００２７】
淵固定部４１は、水路３の全幅に亘って形成され、両端が水路３の淵３１にアンカーボルト１０により固定されている。
また、淵固定部４１の上面には、水路３の底面方向に向かって貫通した係止孔４３が形成されている。
【００２８】
接続部４２は、板状に形成され、本体部５の枠体５０ａ，５０ｂと溶接により固定されている。下流側３５に位置する面には、本体部５に設けられた扉５１と接続する蝶番４５が２か所に設けられている。
【００２９】
なお、水路３に落ち葉等の付着物の混入を防止するためにグレーチング（図示せず）が施される場合には、この蝶番４５がグレーチングと干渉しないようにするとよい。具体的には、グレーチング側に蝶番４５を収容する凹部を設けたり、このような凹部を設けたグレーチングと上側固定部４を一体に形成したり、蝶番４５の設ける位置を水路３の底面３０側にずらしてもよい。
【００３０】
次に、水路ゲート１に取り付けられる装着具６について説明する。
装着具６は、図２に示すように、水路ゲート１の上側固定部４に形成された係止孔４３に係止可能にフック状に形成された取付部６１と、水路３の底面３０に当接可能に形成された下端部６２と、取付部６１と下端部６２の中間に形成された捕捉部６３と、を有して構成されている。それぞれの部材６１，６２，６３は、錆止め加工がなされた金属により形成されている。
【００３１】
取付部６１は、棒状に形成された８つの係止部６４により構成されている。
係止部６４は、先端が水路ゲート１の上側固定部４に形成された係止孔４３に挿通可能にコの字状のフックに形成され、基端が捕捉部６３に溶接により固定されている。
また、各係止部６４は、水路３の幅方向に３ｃｍ程の間隔を有して設けられている。
【００３２】
下端部６２は、捕捉部６３の基端（水路３の底面３０側の端部）に溶接により固定され、この基端から水路３の上流側３６に向かって延設されたものである。なお、下端部６２の形状は、板状に形成されるものであっても、網目状に形成されるものであってもよい。また、下端部６２の水路３の流れ方向の長さは、長ければ長いほど落ち葉等の付着物を引き上げる際に容易になるが、長さに応じて重量も増すため、５〜１０ｃｍ程にするとよい。
【００３３】
捕捉部６３は、網目状に形成され、捕捉部６３の網目は水路ゲート１の下側固定部２の網目よりも広く形成されている。なお、例えば、下側固定部２の枠体固定部２１の網目を５ｍｍ程度にした場合には、捕捉部６３の網目の大きさは１ｃｍ程度にするとよい。
なお、上述の水路ゲート１の枠体固定部２１の網目、及び装着具６の捕捉部６３の網目と下端部６２の長さで説明した各部材のサイズについては、水路３の規模の大きさに応じて適宜変更して実施することが望ましい。
【００３４】
以上述べたように、本発明の水路ゲート１及びこれに取り付けられる装着具６によれば、小動物の水路３の上流側３６への侵入を防ぎ、上流側３６から下流側３５に流れる排水を確実に行うことで、水路内の水位の上昇を抑え、水路３の周辺に設けられた施設を保護することができる。
また、所定の水位に達したときは、扉５１から排水される水に押し流されて付着物が下流側３５に排出されるので、作業者の付着物を取り除く労力を軽減することが可能となる。
さらに、装着具６を水路ゲート１に取り付けることで、装着具６を持ち上げるだけで、下端部６２に付着物を載せて回収することが可能となり、作業者の清掃負担を減らすことが可能となる。
【実施例２】
【００３５】
実施例１においては、水路３の水圧によって本体部５の扉５１が開くように構成したが、所定の水圧が扉５１にかかるまでは本体部５に常に当接するように本体部５の枠体５０ａ，５０ｂを傾斜して設けてもよい。
以下、本実施例の水路ゲート１について説明をするが、実施例１と同一の構成については、同一符号を付して説明を省略する。
【００３６】
図３に示すように、本体部５の枠体５０ａ，５０ｂは、下側固定部２の底固定部２２の固定位置が上側固定部４の淵固定部４１が水路３の淵３１に固定される位置よりも下流側３５に位置することにより、傾斜して設けられている。
【００３７】
本実施例においては、本体部５の枠体５０ａ，５０ｂは、鉛直方向に対して１から２度程傾斜している。
また、上側固定部４の接続部４２と、下側固定部２の枠体固定部２１とは、枠体５０ａ，５０ｂの傾斜角度に沿って共に傾斜して形成されている。
【００３８】
この本体部５の傾斜角度は、水路３の規模や扉５１の重さによって適宜調整するとよい。具体的には、扉５１を１本の棒と仮定してこれを引き上げる（開くようにする）力は次のようにして求められるため、水路３に生じる水圧を考慮して傾斜角度を調整するとよい。
【００３９】
すなわち、図４に示すように、扉５１を引き上げるための力をＦ、扉５１の固定点（蝶番４５が設けられる位置）をＡ、扉５１の一端から中心までの距離をｌ、扉５１の重量をｍ、本体部５の枠体５０ａ，５０ｂの傾斜角度をθ、重力加速度をｇ、とした場合に、Ａの周りのモーメントのつり合いは次のように表される。
２ｌＦ-ｍｇｓｉｎθ・ｌ＝０
Ｆ＝ｍｇｓｉｎθ・ｌ／２ｌ
＝ｍｇｓｉｎθ／２
【００４０】
ここで、扉５１の重量を１．４ｋｇｆとした場合、本体部５の枠体５０ａ，５０ｂの角度（θ）を２０°、３０°、９０°とした場合の扉５１を引き上げる力（Ｆ）は次のようになる。
本体部５の枠体５０ａ，５０ｂの角度（θ）を２０°の場合
Ｆ＝１．４×０．３４／２＝０．２４ｋｇｆ
本体部５の枠体５０ａ，５０ｂの角度（θ）を３０°の場合
Ｆ＝１．４×０．５／２＝０．３５ｋｇｆ
本体部５の枠体の角度（θ）を９０°の場合
Ｆ＝１．４×１／２＝０．７ｋｇｆ
【００４１】
したがって、本体部５の枠体５０ａ，５０ｂが傾斜して設けられていることにより、扉５１の自重により閉まる方向に力が働くようにすることができ、上流側３６から所定以上の力が働かない限り扉５１が開かないようにすることができるため、小動物の上流側３６への侵入を確実に防ぐことができる。
【符号の説明】
【００４２】
１  水路ゲート
２  下側固定部
２１  枠体固定部
２２  底固定部
３  水路
３１  淵
３２  壁面
３５  下流側
３６  上流側
４  上側固定部
４３  係止孔
５  本体部
５０ａ，５０ｂ  枠体
５１  扉
６  装着具
６１  取付部
６２  下端部
６３  捕捉部
【図１】
0005642831.tif 000002
【図２】
0005642831.tif 000003
【図３】
0005642831.tif 000004
【図４】
0005642831.tif 000005